(57)【要約】【課題】コードの導出及び巻取りにより被昇降体を昇降させる昇降装置の構造を簡略化する。【解決手段】遮光幕昇降装置１は、遮光幕２に固定されたコード４と、コード４の巻回される巻取ドラム５と、支持枠体８に固定されて巻取ドラム５に設けられた軸受部５３と、軸受部５３の雌螺子孔５３ａと雄螺子部材６１で螺合して巻取ドラム５の右端を支持する支持軸６と、巻取ドラム５の左端に形成された被支持部５１を巻取ドラム５の軸方向に摺動自在に支持する支持部７４と、支持部７４を回転軸７１ａに取り付けられたモータ７１と、巻取ドラム５に対する支持部７４の回転を規制する回転規制部５２と、モータ７１の回転軸７１ａを回転させる駆動装置７とを備えている。【選択図】図１
2009213610.tif 000002
【特許請求の範囲】
【請求項１】
被昇降体に固定されたコードと、
前記コードの巻回される巻回体と、
前記巻回体及び前記巻回体を支持する支持体の何れか一方に固定され、他方の前記巻回体又は前記支持体に設けられた雌螺子部と雄螺子部で螺合して前記巻回体の一端を前記支持体に支持する一支持軸と、
前記巻回体の他端を前記巻回体の軸方向に摺動自在に支持して前記巻回体と回転方向に一体化する他支持軸と、
前記他支持軸を回転させる駆動手段とを備えることを特徴とする昇降装置。
【請求項２】
前記他支持軸に固着されて前記巻回体の他端に形成された被支持部を前記巻回体の軸方向に摺動自在に支持する支持部と、
前記巻回体に対する前記支持部の回転を規制する回転規制部とを備えることを特徴とする請求項１に記載の昇降装置。
【請求項３】
前記雄螺子部及び前記雌螺子部に形成された螺子山のピッチを、前記コードの外径と等しい値に設定したことを特徴とする請求項１または２に記載の昇降装置。
【請求項４】
請求項１から３までの何れかに記載の昇降装置で遮光体を昇降させることを特徴とする遮光体昇降装置。
【発明の詳細な説明】
【技術分野】
【０００１】
本発明は、昇降装置に係り、特に、コードの導出及び巻取りにより被昇降体を昇降させる昇降装置、及び、その昇降装置で遮光体を昇降させる遮光体昇降装置に関する。
【背景技術】
【０００２】
巻回体を回動させて巻回体に巻回したコードを導出し又は巻取り、遮光体等の被昇降体を昇降させる昇降装置がある。この種の昇降装置を備えた遮光体昇降装置として、例えば、下記の特許文献１及び特許文献２に記載の電動ブラインドが開示されている。
【０００３】
特許文献１に記載のブラインド装置は、日射遮蔽体を昇降させる昇降コードの巻取用ドラムを、回転軸に取り付けて構成されている。ドラムは、回転軸と一体回転するが軸方向には摺動自在とされている。また、ドラムは、その外周面に形成された雄ねじを、ヘッドボックスに支持されたスリーブの雌ねじにネジ係合させている。回転軸が一方に回転すると、ドラムが同方向に回転しながら雄ねじの螺子動作で軸方向の一方側に摺動し、昇降コードが巻き解かれて日射遮蔽体が下降する。また、回転軸が他方に回転すると、ドラムが同方向に回転しながら軸方向の他方側に摺動し、昇降コードがドラムに巻き取られて日射遮蔽体が上昇する。
【０００４】
特許文献２に記載のブラインド装置は、引出コード巻取ドラム及び複数の巻取ドラムが回転軸と同軸に外嵌されている。巻取ドラムは、ヘッドボックスに固着された巻取ドラム軸受に夫々回転自在に軸支されている。巻取ドラムに巻き付けられた昇降コードは、スラットを貫通して垂下し、ボトムレールに係止されている。引出コードが引き下げられると、引出コード巻取ドラムが回転軸と一体となって回転し、巻取ドラムを夫々回転させる。巻取ドラムは、昇降コードの巻きピッチと同幅だけ回転軸上を移動しながら、昇降コードを夫々巻き上げてボトムレールを水平に上昇させ、ブラインドを上昇させる。また、巻取ドラムは、昇降コードの巻きピッチと同幅だけ回転軸上を移動しながら昇降コードを夫々巻き下げ、ボトムレールを下降させてブラインドを下降させる。
【特許文献１】特開２００６−１１２１６６号公報
【特許文献２】特開平８−２３２５５９号公報
【発明の開示】
【発明が解決しようとする課題】
【０００５】
ところで、特許文献１及び２に開示すような昇降装置にあっては、回転軸からドラムに回転力を働かせ、これらとは別体に構成されたスリーブや軸受との螺子動作により、ドラムを軸方向に移動させていた。つまり、上記各特許文献に記載の昇降装置では、ドラムを支持して回転力を付与する回転軸の他に、ドラムを軸方向に移動させるスリーブや巻取ドラム軸受を備える等、多くの構成部品を必要とし、構造が複雑であった。このため、組立作業にも手間がかかった。
【０００６】
本発明の目的は、上記課題に鑑み、コードの導出及び巻取りにより被昇降体を昇降させる昇降装置の構造の簡略化を実現する技術を提供することにある。
【課題を解決するための手段】
【０００７】
本発明に係る装置は、スクリーンの昇降装置に関する。この装置は、被昇降体に固定されたコードと、前記コードの巻回される巻回体と、前記巻回体及び前記巻回体を支持する支持体の何れか一方に固定され、他方の前記巻回体又は前記支持体に設けられた雌螺子部と雄螺子部で螺合して前記巻回体の一端を前記支持体に支持する一支持軸と、前記巻回体の他端を前記巻回体の軸方向に摺動自在に支持して前記巻回体と回転方向に一体化する他支持軸と、前記他支持軸を回転させる駆動手段とを備える。
また、前記他支持軸に固着されて前記巻回体の他端に形成された被支持部を前記巻回体の軸方向に摺動自在に支持する支持部と、前記巻回体に対する前記支持部の回転を規制する回転規制部とを備えてもよい。
また、前記雄螺子部及び前記雌螺子部に形成された螺子山のピッチを、前記コードの外径と等しい値に設定してもよい。
また、本発明に係る別の装置は、遮光体昇降装置に関する。この装置は、上記の昇降装置で遮光体を昇降させる。
【発明の効果】
【０００８】
本発明によれば、被昇降体を昇降させるコードの導出及び巻取を行う巻回体の動作を、巻回体を支持した支持軸によって制御できる。このため、簡易的な構造の昇降装置及び遮光体昇降装置を実現できる。
【発明を実施するための最良の形態】
【０００９】
次に、本発明を実施するための最良の形態（以下、単に「実施形態」という）を、図面を参照して具体的に説明する。
【００１０】
図１は、本実施形態に係る遮光幕昇降装置１の構成の概略を壁に取り付けられた状態で正面から示す図である。図２は、遮光幕昇降装置１の支持枠体２が備えるブラケット８３を示す正面図である。
【００１１】
図１に示すように、遮光幕昇降装置１は、被昇降体である遮光幕２と、遮光幕２を昇降させる昇降装置３と、遮光幕２及び昇降装置３を壁や天井に支持する支持枠体８とを備えている。
【００１２】
支持枠体８は、後述する昇降装置３の巻取ドラム５を前方に臨ませて収容する断面略コの字状の収容部８１と、収容部８１の前端部の下縁から下方に延びる遮光幕取付部８２とを備えている。
【００１３】
遮光幕取付部８２の左端から右端にかけての前面には、面ファスナー（不図示）が取り付けられている。この面ファスナーには、遮光幕２の上縁部に取り付けられた対となる面ファスナー（不図示）が貼着される。面ファスナーで遮光幕取付部８２に固定された遮光幕２の下縁部には、遮光幕２を張設するためのウェイトバー２１が取り付けられている。また、遮光幕２の一面には、後述する昇降装置３の備えるコード４の挿通される挿通片２２が、互いにほぼ等しい間隔を左右において、上端側から下端側にかけて４列に配列されて取り付けられている。
【００１４】
収容部８１は、左右の両端に取り付けられた一対のブラケット８３間に、後述する昇降装置３の巻取ドラム５を収納する。収容部８１の左端に取り付けられるブラケット８３には、後述する駆動装置７のモータ７１が取り付けられる。また、収容部８１の右端に取り付けられるブラケット８３には、支持軸６が溶着されている。
【００１５】
図２に示すように、支持軸６は、棒状の雄螺子部材６１をナット６２に螺合させると共に、両者を溶着させて構成されている。支持軸６の雄螺子部材６１には、後述する巻取ドラム５の備える軸受部５３が螺着される。また、収容部８１には、後述する軸受部５３に取り付けられた検知用磁石５４（図６参照）を検知するための磁気センサ８４が取り付けられている。
【００１６】
図１に示すように、昇降装置３は、遮光幕２を吊り下げるコード４と、コード４の巻回される巻取ドラム５と、巻取ドラム５の右端を支持する上述した支持軸６と、巻取ドラム５の左端を支持して巻取ドラム５を回転させる駆動装置７とから構成されている。
【００１７】
図３は、遮光幕昇降装置１が備える巻取ドラム５を示す縦断面図である。図４は、巻取ドラム５の左側面である。図５は、巻取ドラム５の右側面である。図６は、巻取ドラム５の備える軸受部５３を示す斜視図である。
【００１８】
図３に示すように、巻取ドラム５は、円弧状に湾曲した断面形状を有する一対の円弧板５ａを、互いで略円環状を呈するように所定間隔をおいて向かい合わせ、両円弧板５ａの向かい合った内周面間に、一対の横架板５ｂを互いを平行にして掛け渡した断面形状を有した、アルミニウム合金製のパイプである。一対の横架板５ｂ及び両横架板５ｂ間に位置する円弧板５ａは、略四角筒状を呈して巻取ドラム５の左端から右端にかけて延びる筒体５ｃを構成している。
【００１９】
巻取ドラム５には、コード４を取り付ける４つの取付金具５５が、両円弧板５ａ間に位置して設けられている。各取付金具５５は、外側から挿通された螺子が横架板５ｂに螺着されることにより、巻取ドラム５に螺子止めされている。取付金具５５に上端を固定されたコード４は、図１に示すように、上述した遮光幕２の上端側の挿通片２２から順に挿通されて、最下端に位置する挿通片２２に下端部を固定されている。
【００２０】
図４に示すように、巻取ドラム５の左端の筒体５ｃの端部は、後述するモータ７１の回転軸７１ａに取り付けられた支持部７４を、その軸方向に沿って摺動自在に支持する被支持部５１を構成している。被支持部５１の両横架板５ｂは、巻取ドラム５に対する支持部７４の回転を規制する回転規制部５２を構成している。
【００２１】
図５に示すように、巻取ドラム５の右端の筒体５ｃの端部には、上述した支持軸６を受ける軸受部５３が設けられている。図６に示すように、軸受部５３は、筒体５ｃの内径とほぼ等しい断面形状の樹脂製のブロック体から構成されており、その左面から右面にかけては雌螺子孔５３ａが貫通している。雌螺子孔５３ａには、図５に示すように、上述した支持軸６の雄螺子部材６１が螺合される。雄螺子部材６１及び雌螺子孔５３ａの螺子山のピッチは、後述するコード４の外径とほぼ等しい値に設定されている。軸受部５３の前面には、上述した支持枠体８の磁気センサ８４に検知される検知用磁石５４の嵌め込まれた嵌込凹部５３ｂが形成されている。また、軸受部５３の後面には、巻取ドラム５の筒体５ｃに固定するための固定孔５３ｃが形成されている。軸受部５３の取り付けられる筒体５ｃの右端部の円弧板５ａには螺子孔が形成されており、固定孔５３ｃには、この螺子孔に螺着された螺子が挿入される。
【００２２】
検知用磁石５４は、遮光幕２が上限位置にまで引き上げられる左側移動限から下限位置まで下ろされる右側移動限にかけて、磁気センサ８４により検知される。検知用磁石５４は、左側及び右側の各移動限まで巻取ドラム５が移動してきたときに、支持枠体８の磁気センサ８４の取付面と反対側を向く位置に取り付けられている。このような構成を有する軸受部５３は、筒体５ｃの右端部に嵌入されると共に螺子止めされて、巻取ドラム５に固定されている。
【００２３】
図７は、巻取ドラム５の左端に取り付けられた駆動装置７を示す正面図である。図８は、駆動装置７の備える支持部７４を示す斜視図である。駆動装置７は、モータ７１と、駆動制御部７２と、モータ７１及び駆動制御部７２に電力を供給する電源ケーブル７３（図１参照）とを備える。図７に示すように、モータ７１は、回転軸７１ａの突出面側とその反対面側とから互いでモータ７１を挟んで配置された取付板２３ａ及びブラケット２３を、両者の間に介装された介装部材２３ｂに螺着することにより、ブラケット２３に固定されている。モータ７１の回転軸７１ａには、支持部７４が取り付けられている。
【００２４】
図８に示すように、支持部７４は、筒体５ｃの内径とほぼ等しい断面形状の樹脂製のブロック体から構成されており、その前面には嵌入穴７４ａが開口している。嵌入穴７４ａは、モータ７１の回転軸７１ａに支持部７４を固着させて、回転軸７１ａと支持部７４とを一体化するためのものである。また、支持部７４の上面及び下面には、貫通孔７４ｂが形成されている。各貫通孔７４ｂは、支持部７４の上面又は下面から、嵌入穴７４ａにかけてを貫通している。嵌入穴７４ａに回転軸７１ａを嵌入された支持部７４は、図示しないスプリングピンを貫通孔７４ｂを通して回転軸７１ａに貫通されて、回転軸７１ａと一体化される。このような構成を有する支持部７４は、図７に示すように、嵌入穴７４ａにモータ７１の回転軸７１ａを嵌入され、筒体５ｃの左端の被支持部５１に挿入されて巻取ドラム５を支持しており、巻取ドラム５に対する回転を回転規制部５２で規制されている。
【００２５】
駆動制御部７２は、リモコン（不図示）を介してユーザの指示を取得し、コード４を巻取ドラム５から導出する導出方向、又は、巻取ドラム５に巻き取る巻取方向にモータ７１を回転させる。また、駆動制御部７２は、磁気センサ８４による検知用磁石５４の検知信号を検出し、検知信号の検出がなくなると、モータ７１の回転を停止する。
【００２６】
以上の構成による遮光幕昇降装置１の動作について、主に図９及び図１０を用いて説明する。
【００２７】
図９は、遮光幕２を下限位置まで下ろして左側移動限にある巻取ドラム５を示す図であり、（ａ）は左端部，（ｂ）は右端部を示している。また、図１０は、遮光幕２を上限位置まで引き上げて右側移動限にある巻取ドラム５を示す正面図であり、（ａ）は左端部，（ｂ）は右端部を示している。
【００２８】
遮光幕２を下限位置に下ろすまでコード４を導出させた巻取ドラム５は、図９（ａ）に示すようにモータ７１の回転軸７１ａに取り付けられた支持部７４で被支持部５１を支持され、また、図９（ｂ）に示すように支持軸６の雄螺子部材６１に軸受部５３の雌螺子孔５３ａを螺合させて、左側移動限に位置している。
【００２９】
これにより、巻取ドラム５は、上下及び前後方向の位置決めをされた状態で、雌螺子孔５３ａと雄螺子部材６１との螺子動作により、左右及び回転方向に移動可能となっている。また、軸受部５３に取り付けられた検知用磁石５４は、磁気センサ８４による検知範囲の右側に外れて位置している。
【００３０】
この状態で、ユーザがリモコン（不図示）を操作して遮光幕２を引き上げる指示をすると、その旨の信号を受信した駆動制御部７２が、モータ７１を巻取方向に回動させる。すると、モータ７１の回転軸７１ａに取り付けられた支持部７４は、回転軸７１ａと一体となって回転し、支持部７４と回転方向に一体化した巻取ドラム５を巻取方向に回転させる。これに伴い、軸受部５３は、雌螺子孔５３ａを雄螺子部材６１と螺子動作させる。これにより、巻取ドラム５は、その軸方向に摺動自在に被支持部５１を支持した支持部７４に対して右側に、巻取方向に回転しながら移動する。つまり、巻取ドラム５は、支持部７４から加えられる回転力により支持部７４と一体となって巻取方向に回転し、この回転に伴う雄螺子部材６１と雌螺子孔５３ａとの螺子動作に応じて、左側から右側にかけて移動する。
【００３１】
巻取ドラム５の取付金具５５に上端を固定されたコード４は、巻取ドラム５の回転に伴い、巻取ドラム５にその上端側から巻き取られていく。コード４による遮光幕２の吊下位置が、支持枠体８からの吊下位置に保たれるのに対し、コード４を巻き取って回転する巻取ドラム５が雄螺子部材６１と雌螺子孔５３ａとの螺子動作に伴い右側に移動することから、巻取ドラム５の外周面でのコード４の巻取位置は、雄螺子部材６１に対する雌螺子孔５３ａの移動距離と等しい距離を保って移動する。つまり、巻取ドラム５の外周面でのコード４の巻取位置は、雄螺子部材６１及び雌螺子孔５３ａに形成された螺子山のピッチと同じ間隔で移動する。
【００３２】
巻取ドラム５にコード４が巻き取られるのに伴い、コード４に吊り下げられた遮光幕２は、コード４の巻取速度と同じ速度で引き上げられていく。遮光幕２が上限位置まで引き上げられると、検知用磁石５４が磁気センサ８４の検知範囲から外れて、駆動制御部７２による電流供給が停止され、モータ７１の回転が停止する。
【００３３】
遮光幕２を上限位置に引き上げるまでコード４を巻き取った巻取ドラム５は、４本のコード４をその外周面に右側から左側にかけて螺旋状に巻き付けて、図１０（ａ）に示すように支持部７４で被支持部５１を支持されて、図１０（ａ）に示すように右側移動限まで移動している。
【００３４】
この状態で、ユーザがリモコン（不図示）を操作して遮光幕２を下ろす指示をし、その旨の信号を受信した駆動制御部７２が、モータ７１を導出方向に回動させると、巻取ドラム５は、支持部７４と一体となって導出方向に回転し、軸受部５３の雌螺子孔５３ａと雄螺子部材６１との螺子動作で左側に移動する。
【００３５】
巻取ドラム５に固定されたコード４は、巻取ドラム５の回転に伴い下端側から導出されていく。コード４による遮光幕２の吊下位置が、支持枠体８からの吊下位置に保たれるのに対して巻取ドラム５が雄螺子部材６１と雌螺子孔５３ａとの螺子動作により左側に移動することから、巻取ドラム５の外周面でのコード４の導出位置は、雄螺子部材６１及び雌螺子孔５３ａに形成された螺子山のピッチと同じ間隔で移動する。
【００３６】
遮光幕２が下限位置まで下ろされて図９（ａ），（ｂ）に示すように巻取ドラム５が左側移動限まで移動すると、検知用磁石５４が磁気センサ８４の検知範囲から外れて、駆動制御部７２による電流供給が停止され、モータ７１の回転が停止する。
【００３７】
本実施形態の遮光幕昇降装置１によれば、遮光幕２の昇降用コード４の巻取ドラム５に設けられた被支持部５１と、モータ７１の回転軸７１ａに設けられた支持部７４とを、回転規制部５２により巻取ドラム５の回転方向に一体化させ、巻取ドラム５の軸受部５３に設けられた雌螺子孔５３ａと支持軸６の雄螺子部材６１との螺子動作により巻取ドラム５を軸方向に移動させることから、巻取ドラム５の動作を巻取ドラム５を支持した支持軸６及び回転軸７１ａによって制御できる。このため、簡易的な構造の遮光幕昇降装置１を実現できる。
【００３８】
また、本実施形態の遮光幕昇降装置１によれば、雄螺子部材６１及び雌螺子孔５３ａに形成された螺子山のピッチが、コード４の外径と等しい値に設定されていることから、巻取ドラム５の外周面に巻き付けられるコード４の間隔を、コード４の太さと一致させて、コード４同士が重なり合うのを防止することができる。このため、４本のコード４の巻取速度を一致させて、遮光幕２を昇降させることができる。
【００３９】
なお、本発明は上記した実施形態に限定されるものではなく、本発明の要旨を逸脱しない範囲内において種々変更を加え得ることは勿論である。例えば、上記実施形態では、巻取ドラム５を支持する支持軸６を支持枠体８に固定し、支持軸６の雄螺子部材６１を巻取ドラム５の軸受部５３に設けられた雌螺子孔５３ａに螺合させた場合について説明した。しかしながら、支持軸６を巻取ドラム５に固定し、支持枠体８に設けられた雌螺子孔５３ａに支持軸６の雄螺子部材６１を螺合させて、巻取ドラム５を支持枠体８に支持する構成としてもよい。
【００４０】
また、上記実施形態では、雄螺子部材６１をナット６２に螺合させると共に両者を溶着させて一体化し、支持軸６を構成した場合について説明した。しかしながら、支持軸６をボルトから構成してもよい。また、巻取ドラム５の構成も、左端又は右端に形成された被支持部５１で、その軸方向に摺動自在に支持部７４に支持されるのであれば任意である。また、巻取ドラム５に対する支持部７４の回転を規制する回転規制部５２の構成も任意である。例えば、円筒状を呈した巻取ドラム５に設けた一対の突起又は突条により、また、巻取ドラム５に設けた一又は複数の突起又は突条を収容する凹溝により、巻取ドラム５の軸方向に沿った支持部７４の移動を許容しつつ、巻取ドラム５に対する回転を規制してもよい。また、巻取ドラム５の左端を巻取ドラム５の軸方向に摺動自在に支持して、巻取ドラム５と回転方向に一体化する構成も任意であり、例えば、モータ７１の回転軸７１ａを各軸にして、巻取ドラム５の左端部に設けられた軸受部に角軸を挿通する挿通孔を設ける構成としてもよい。
【００４１】
また、支持部７４に回転力を働かせるための動力はモータ７１には限定されず、他の手段を用いる構成としてもよく、支持部７４を備える支持軸を手動で回転させる構成としてもよい。また、遮光幕２を吊り下げるコード４の本数も任意である。また、上記実施形態では、昇降装置３により昇降される被昇降体としてスクリーンを用いた場合について説明したが、被昇降体の種類は任意であり、ブラインドとしてもよい。
【図面の簡単な説明】
【００４２】
【図１】本発明の一実施形態に係る、遮光幕昇降装置の構成の概略を壁に取り付けられた状態で正面から示す図である。
【図２】本発明の一実施形態に係る、支持枠体が備えるブラケットを示す正面図である。
【図３】本発明の一実施形態に係る、巻取ドラムの縦断面図である。
【図４】本発明の一実施形態に係る、巻取ドラムの左側面図である。
【図５】本発明の一実施形態に係る、巻取ドラムの右側面図である。
【図６】図６は、巻取ドラムの備える軸受部を示す斜視図である。
【図７】本発明の一実施形態に係る、巻取ドラムの左端に取り付けられた駆動装置を示す正面図である。
【図８】本発明の一実施形態に係る、駆動装置の備える支持部を示す斜視図である。
【図９】本発明の一実施形態に係る、遮光幕を下ろして右側移動限に位置する巻取ドラムを示す正面図である。
【図１０】本発明の一実施形態に係る、遮光幕を引き上げて左側移動限に位置する巻取ドラムを示す正面図である。
【符号の説明】
【００４３】
１      遮光幕昇降装置
２      遮光幕
３      昇降装置
４      コード
５      巻取ドラム
５ｃ    筒体
５１    被支持部
５２    回転規制部
５３    軸受部
５３ａ  雌螺子孔
５４    検知用磁石
６      支持軸
６１    雄螺子部材
６２    ナット
７      駆動装置
７１    モータ
７１ａ  回転軸
７４    支持部
８      支持枠体
８４    磁気センサ
【図１】
2009213610.tif 000003
【図２】
2009213610.tif 000004
【図３】
2009213610.tif 000005
【図４】
2009213610.tif 000006
【図５】
2009213610.tif 000007
【図６】
2009213610.tif 000008
【図７】
2009213610.tif 000009
【図８】
2009213610.tif 000010
【図９】
2009213610.tif 000011
【図１０】
2009213610.tif 000012